(57)【要約】【課題】  ＬＣＤバックライトの消灯時に、表示内容を離れた位置から容易に判別できる通信端末装置を提供する。【解決手段】  外部装置との通信機能１０と、利用者からの操作を受け付ける操作部２０と、バックライト（ＢＬ）消灯時にも表示内容判別可能なＢＬ３２付きＬＣＤ表示部３０と、文字フォント６６，６７を複数有する通信端末装置において、ＢＬ消灯時に、ＬＣＤ表示部３０に表示する文字を選択する表示文字選択手段６４と、Ｂｌ消灯時に、表示文字選択手段６４により選択した表示文字をＢＬ点灯時より大きい文字フォントでＬＣＤ表示部３０に表示する表示制御手段６５を備え、バックライト点灯時に表示している文字から、ＬＣＤバックライト消灯時に表示する文字を選択し、消灯時に点灯時より大きい文字フォントで表示する。【選択図】      図２
2005101924.tif 000002
【特許請求の範囲】
【請求項１】
外部装置との通信機能と、利用者からの操作を受け付ける操作部と、バックライト消灯時にも表示内容の判別可能なバックライト付きＬＣＤ表示部と、前記ＬＣＤ表示部に表示する文字フォントを複数有する通信端末装置において、
該バックライト消灯時に、前記ＬＣＤ表示部に表示する文字を選択することができる表示文字選択手段と、該バックライト消灯時に、前記表示文字選択手段により選択した表示文字を該バックライト点灯時より大きい文字フォントで、前記ＬＣＤ表示部に表示する表示制御手段を備えたことを特徴とする通信端末装置。
【請求項２】
請求項１記載の通信端末装置であって、
前記表示文字選択手段による表示文字は、利用者が変更設定できる表示文字設定手段を備えたことを特徴とする通信端末装置。
【請求項３】
外部装置との通信機能と、利用者からの操作を受け付ける操作部と、バックライト消灯時にも表示内容の判別可能なバックライト付きＬＣＤ表示部と、前記ＬＣＤ表示部に表示する文字フォントを複数有する通信端末装置において、
周囲の明るさを検出する手段と、前記ＬＣＤ表示部に表示する文字を選択することができる表示文字選択手段と、前記周囲の明るさを検出する手段が所定の明るさ以下を検出したときに、前記表示文字選択手段により選択した表示文字を所定の明るさを超えたときより大きい文字フォントで、前記ＬＣＤ表示部に表示する表示制御手段を備えたことを特徴とする通信端末装置。
【発明の詳細な説明】
【技術分野】
【０００１】
本発明は、バックライト付きのＬＣＤ表示部を備えた通信端末装置に関する。
【背景技術】
【０００２】
従来から、通信端末装置における表示手段としてバックライト付きのＬＣＤが利用されており、ＬＣＤバックライトを消灯した場合、暗い表示になるがＬＣＤ表示内容が判別可能なものが一般的に利用されている。
【０００３】
一方、ＬＣＤバックライトについての省電力化については、各種の省電力化の制御手段を用いてＬＣＤバックライトの点灯時間を短くする工夫がなされている（例えば、特許文献１参照）。
【０００４】
しかし、利用者にとっては省電力化も必要だが、ＬＣＤバックライトが消灯した場合、ＬＣＤの表示が、ＬＣＤバックライトが点灯した場合に比べて暗い表示になってしまい、離れた位置から見ると表示内容を判別することが困難であり、利用価値が低かった。例えば、従来のＬＣＤへの表示形態は、図５に示すように、ＬＣＤ３１を上下２段に分け、上段には、相手電話番号表示（例えば、０１２３４５６７８９）を表示し、下段には、通話時間表示（例えば、００分１５秒）を表示している。図５（Ａ）に示すように、バックライト点灯時には電話番号と通話時間が上下二段に分けられて表示されても、表示内容を容易に読み取ることができるが、図５（Ｂ）に示すように、バックライトが消灯すると画面が暗くなり表示内容を見難くなってしまう。
【特許文献１】特開２００３−１３１１９３号公報
【発明の開示】
【発明が解決しようとする課題】
【０００５】
上記問題に鑑み、本発明の目的は、バックライト付きのＬＣＤ表示部を備えた通信端末装置において、ＬＣＤバックライトが消灯状態にあっても、ＬＣＤの表示内容を離れた位置から見て表示内容を容易に判別でき、ＬＣＤ表示の利用価値を向上させることにある。
【課題を解決するための手段】
【０００６】
上記課題を解決するために、本発明は、外部装置との通信機能と、利用者からの操作を受け付ける操作部と、バックライト消灯時にも表示内容の判別可能なバックライト付きＬＣＤ表示部と、前記ＬＣＤ表示部に表示する文字フォントを複数有する通信端末装置において、該バックライト消灯時に、前記ＬＣＤ表示部に表示する文字を選択することができる表示文字選択手段と、該バックライト消灯時に、前記表示文字選択手段により選択した表示文字を該バックライト点灯時より大きい文字フォントで、前記ＬＣＤ表示部に表示する表示制御手段を備えた。
【０００７】
また、本発明は、前記表示文字選択手段による表示内容を、利用者が変更設定できるようにした。
【発明の効果】
【０００８】
本発明によれば、バックライト付きのＬＣＤ表示部を備えた通信端末装置において、ＬＣＤバックライトを消灯するときに、ＬＣＤに表示されている文字フォントを大きくすることができ、離れた位置から見た場合にも、文字が判別しやすくなり、利用者にとって表示内容の利用価値が向上する。
【発明を実施するための最良の形態】
【０００９】
以下、本発明の実施形態について説明する。なお、以下の実施形態では通信端末装置として、ＩＳＤＮ電話機を例にあげて説明する。しかし、本発明はこれに限定されない。例えば、ＩＳＤＮ電話機の代わりに、留守番電話機や、ファクシミリ機能付き電話機、または、携帯端末やＰＨＳ端末を用いても良い。さらに、ボタン電話装置や構内交換装置の内線電話機で実施しても良い。
【００１０】
図１は、本発明にかかる通信端末装置の構成を説明する概略図である。図２は、本発明にかかる通信端末装置の中央制御部６０の機能構成を説明する機能ブロック図である。図３は、本発明にかかる通信端末装置のＬＣＤ表示部における表示形態を説明する図である。図４は、本発明にかかる通信端末装置の表示制御手段６５における処理を説明するフローチャートである。
【００１１】
図１に示すように、本発明にかかる通信端末装置は、通信機能部１０と、操作部２０と、ＬＣＤ表示部３０と、バックライト駆動部４０と、ＬＣＤ駆動部５０と、中央制御部６０とを有して構成される。
【００１２】
通信機能部１０は、データ送受信回路部１１と、音声処理部１２と、送受話器１３と、スピーカ１４から構成される。
【００１３】
データ送受信回路部１１は、ＩＳＤＮ回線に接続され、該ＩＳＤＮ回線と制御データ、音声データの通信を行うためのインタフェース回路である。
【００１４】
音声処理部１２は、音声のデジタル／アナログ変換、アナログ／デジタル変換と、通信端末装置内の送受話器１３やスピーカ１４等との通話路切替および音量を制御する。
【００１５】
送受話器１３は、一般的な通話時の送話、受話を行うためのハンドセットである。
【００１６】
スピーカ１４は、ＩＳＤＮ回線から着信があった場合の着信音送出や、スピーカによる拡声受話に使用する。
【００１７】
操作部２０は、ダイヤルキー２１と、機能キー２２と、表示選択キー２３から構成される。
【００１８】
ダイヤルキー２１は、相手電話番号の入力に使用する。また、各種設定の入力手段としても用いられる。
【００１９】
機能キー２２は、ＩＳＤＮ電話機で一般的に使用する保留や拡声受話、各種設定への移行等のボタンである。
【００２０】
表示選択キー２３は、バックライト３２消灯時に、ＬＣＤ３１へ表示する文字を、利用者が選択し、変更設定できる表示文字設定手段として使用する。
【００２１】
ＬＣＤ表示部３０は、ＬＣＤ３１と、バックライト３２から構成される。
【００２２】
ＬＣＤ３１は、反射型のＬＣＤによって構成され、バックライト３２の点灯の有無にかかわらず、利用者は表示内容を参照することができる。表示する内容としては、通信端末装置からＩＳＤＮ回線に発信したときの相手電話番号表示、通話時間表示、等が代表的なものである。本実施例では、１２０×２６ドットのドットマトリクスＬＣＤを使用する。
【００２３】
バックライト３２は、ＬＣＤ３１の背面あるいは背面周辺部に設けられており、バックライト駆動部４０によって点灯制御が行われる。このバックライト３２が点灯することによって、ＬＣＤ３１を透過する光量を増大して、ＬＣＤ３１の表示を見やすくすることができる。
【００２４】
バックライト駆動部４０は、バックライト３２の点灯・消灯の駆動を行う。
【００２５】
ＬＣＤ駆動部５０は、中央制御部６０からの指示で、ＬＣＤ３１に表示する文字の大きさ、および表示文字の駆動を行う。
【００２６】
次に、図２を用いて、中央制御部６０内における機能構成の概要を説明する。中央制御部６０は、通信制御手段６１と、操作制御手段６２と、点灯制御手段６３と、表示文字選択手段６４と、表示制御手段６５と、第１の文字フォント６６と、第２の文字フォント６７と、表示文字設定手段６８とを有している。
【００２７】
通信制御手段６１は、データ送受信回路部１１を経由して、ＩＳＤＮ回線との通信を行い、音声をハンドセット通話にするか拡声受話にするかの指示を音声処理部１２に与える。また、ＩＳＤＮ回線よりの着信を検出すると、発信者番号等の表示情報を、表示制御手段６５に指示するとともに、バックライト３２の点灯を点灯制御手段６３に指示する機能を有する手段である。
【００２８】
操作制御手段６２は、ダイヤルキー２１や機能キー２２の押下を検出し、入力情報の解析・照合をおこない、ＩＳＤＮ回線への発信の場合、相手電話番号として、表示情報を表示制御手段６５に指示するとともに、バックライト３２の点灯を点灯制御手段６３に指示する。また、キー入力が一定時間（例えば、１５秒間）ない場合は、バックライト３２の消灯を点灯制御手段６３に指示する機能を有する手段である。
【００２９】
点灯制御手段６３は、バックライト駆動部４０に対して、点灯・消灯の指示を与え、表示制御手段６５より、バックライト状態の問い合わせがあった場合、点灯中か消灯中かを通知する機能を有する手段である。
【００３０】
表示文字選択手段６４は、表示制御手段６５より、バックライト３２消灯時に表示する文字の問い合わせがあった場合、ＬＣＤ表示の上段側を表示するか、下段側を表示するかを通知する機能を有する手段である。
【００３１】
表示制御手段６５は、点灯制御手段６３に対し、バックライト３２の状態を問い合わせし、バックライト３２点灯時には、ＬＣＤ駆動部５０に、第１の文字フォント６６を指定し、上下両段の文字を表示する指示をおこない、バックライト３２消灯時には、表示文字選択手段６４より、バックライト３２消灯時に表示する文字を取得し、ＬＣＤ駆動部５０に、第２の文字フォント６７を指定し、上段または下段の文字を表示する指示を行う制御手段である。
【００３２】
第１の文字フォント６６は、ＬＣＤ３１に全角１０桁×２行の表示をおこなうときに指定され、全角用として１１×１２ドットの漢字フォントと、半角用として６×１２ドットの英数字フォントを備える。
【００３３】
第２の文字フォント６７は、ＬＣＤ３１に全角５桁×１行の表示をおこなうときに指定され、全角用として２２×２４ドットの漢字フォントと、半角用として１２×２４ドットの英数字フォントを備える。
【００３４】
表示文字設定手段６８は、表示文字選択手段６４で選択するＬＣＤ表示の上段か下段かを、利用者が変更設定できるようにした手段である。本実施例では、表示選択キー２３を設け、表示選択キーの押下を検出する毎に、表示文字選択手段６４に上段／下段を指示する機能を有する手段である。
【００３５】
次に、図３を用いて本発明のＬＣＤ表示形態を説明する。図３の（Ａ）はバックライト点灯中の表示を示す（内容は、図５と同じ）。図３の（Ｃ）は、前記表示文字選択手段６４が、バックライト３２消灯時の表示文字として下段を表示する選択をおこなった場合を示す。図３の（Ｄ）は、前記表示文字選択手段６４が、バックライト３２消灯時の表示文字として上段を表示する選択をおこなった場合を示す。
【００３６】
図３（Ｃ）、図３（Ｄ）に示す通り、本発明によれば、バックライト消灯時には通話時間や相手電話番号が大きい文字で表示されるため、離れた位置から見ても表示内容を容易に判別することができる。
【００３７】
図３の表示形態を実現するための処理を、図４を用いて説明する。図４は、表示制御手段６５におけるＬＣＤ表示の概略処理フローチャートである。まず、ＬＣＤ駆動部５０に、第１の文字フォント６６を指定し、相手電話番号と通話時間を上下両段に表示する（Ｓ１）。次に、一定時間（例えば、約１５秒間）内に、操作制御手段６２によるキー入力がなく、バックライト３２が消灯すると、バックライト消灯かの状態判定（Ｓ２）で、Ｙｅｓ側に移行し、表示文字選択手段６４が表示文字が上段かを判定する（Ｓ３）。ステップＳ２の状態判定において、バックライト３２点灯中（Ｎｏ）であれば、ステップＳ１に戻り、順次表示内容を更新する。
【００３８】
ステップＳ３で、表示文字選択手段６４が上段選択を通知した場合は、第２の文字フォント６７を指定し、相手電話番号を表示する（Ｓ４）。ステップＳ３の判定が下段選択を通知した場合は、第２の文字フォント６７を指定し、通話時間を表示する（Ｓ５）。
【００３９】
以後、バックライトが点灯か否かの判定をおこない（Ｓ６）、バックライト消灯中（Ｎｏ）は、ステップＳ３に戻り、順次表示内容を更新する。また、操作手段６２によるキー入力があった場合等には、バックライト点灯状態（Ｙｅｓ）になり、ステップＳ１に移行し、バックライト点灯中の表示をおこなう。
【００４０】
以上の説明では、ＬＣＤバックライト点灯時には文字フォントを小さくして表示情報量（文字数）を増やし、ＬＣＤバックライト消灯時には、文字フォントを大きくするとともに表示情報量（文字数）を減少して内容の認識を容易にした例を説明したが、通信端末装置に周囲の明るさを監視する手段を設け、該通信端末装置が設置された環境の明るさを監視して、ＬＣＤバックライトの点灯の如何にかかわらず、周囲が所定の明るさより明るいときに文字フォントを小さくしてして表示情報量（文字数）を増やし、周囲が所定の明るさより暗いときに、文字フォントを大きくするとともに表示情報量（文字数）を減少して内容の認識を容易にするように構成することができる。
【図面の簡単な説明】
【００４１】
【図１】本発明にかかる通信端末装置の構成概略図
【図２】本発明の中央制御部６０の機能ブロック図
【図３】本発明のＬＣＤ表示部における表示形態の説明図
【図４】本発明の表示制御手段６５の概略フローチャート
【図５】従来のＬＣＤ表示部における表示形態例の説明図
【符号の説明】
【００４２】
１０  通信機能部
１１  データ送受信回路部
１２  音声処理部
１３  送受話器
１４  スピーカ
２０  操作部
２１  ダイヤルキー
２２  機能キー
２３  表示選択キー
３０  ＬＣＤ表示部
３１  ＬＣＤ
３２  バックライト
４０  バックライト駆動部
５０  ＬＣＤ駆動部
６０  中央制御部
６１  通信制御手段
６２  操作制御手段
６３  点灯制御手段
６４  表示文字選択手段
６５  表示制御手段
６６  第１の文字フォント
６７  第２の文字フォント
６８  表示文字設定手段
【図１】
2005101924.tif 000003
【図２】
2005101924.tif 000004
【図３】
2005101924.tif 000005
【図４】
2005101924.tif 000006
【図５】
2005101924.tif 000007